(57)【要約】  パーソナルビデオレコーダのようなテレビジョン記録及び再生システムは、ハンドヘルド形式でテレビ番組をデジタル形式でエンコードし、ローカルメモリに記憶する。記憶されたハンドヘルド形式のテレビ番組は、有線又は無線プロトコルのいずれかを使用して、テレビジョン記録及び再生システムから、ハンドヘルド装置で視聴するためのパーソナルデータアシスタントのようなハンドヘルド装置に出力される。代替的に、ハンドヘルド装置は、テレビ番組を別のハンドヘルド装置のような異なる装置に出力することができる。大型の表示形式、ハンドヘルド形式、又は同時に両方の形式で記録のための番組を選択することは、テレビジョン記録及び再生システムにより生成されたグラフィックユーザインタフェースを使用すること、又はハンドヘルド装置により、及び好ましくはブロードキャストされる番組、又はブロードキャストされている番組に関する情報を含む電子番組ガイドによる。
2005510143.tif 000002
【特許請求の範囲】
【請求項１】
記憶装置と、
リモートコントローラと、
ブロードキャストソースからテレビ番組を受信する手段と、
該リモートコントローラを使用して、受信されて該記憶装置に記憶されているテレビ番組をユーザが選択することを可能にするグラフィックユーザインタフェース（ＧＵＩ）を生成する手段と、
第一の選択されたテレビ番組を受信して、ユーザ選択に応答して、第一の表示形式、ハンドヘルド装置での表示のために適合される第二の表示形式、又は該記憶装置における第一及び第二の表示形式で該記憶装置に記憶する手段と、
ユーザ選択に応答して、該第二の表示形式で該第一のテレビ番組をハンドヘルド表示装置に転送する手段と、
を備えるテレビジョン記録及び再生システム。
【請求項２】
テレビスケージュール情報を有する電子番組ガイド（ＥＰＧ）情報を受信する手段と、
該ＥＰＧ情報を該ハンドヘルド表示装置に転送し、該ハンドヘルド表示装置から記憶のために選択されたテレビ番組を示す番組情報を受ける手段とをさらに備え、
前記受信して記憶する手段は、該番組情報に応答して該選択されたテレビ番組を受信して記憶する、
請求項１記載のシステム。
【請求項３】
該番組情報は、それぞれの選択されたテレビ番組に関連される指定された再生装置を示す装置再生情報を含み、前記受信して記憶する手段は、該装置再生情報に応答して、該第一の表示形式、該第二の表示形式又は第一及び第二の表示形式で該選択されたテレビ番組を記憶する、
請求項２記載のシステム。
【請求項４】
該生成手段は、該記憶装置に記憶されている番組を該ハンドヘルド表示装置にユーザが選択的に転送することを可能にし、該ハンドヘルド表示装置から該記憶装置に番組を選択的に転送することを可能にする同期メニューを生成する、
請求項１記載のシステム。
【請求項５】
該同期メニューは、ハンドヘルド表示装置に転送される番組に関する視聴状態を提供し、該ハンドヘルド表示装置が該システムに接続されたとき、該記憶装置から視聴された番組を削除するためにユーザが選択することを可能にする、
請求項４記載のシステム。
【請求項６】
該同期メニューは、該記憶装置に記憶されている番組の視聴状態を提供し、該ハンドヘルド表示装置が該システムに接続されたとき、該ハンドヘルド表示装置から視聴された番組を削除するためにユーザが選択することを可能にする、
請求項４記載のシステム。
【請求項７】
テレビジョン記録及び再生システムを制御する方法であって、
記憶装置に記録されるテレビ番組を示すユーザにより選択された番組情報を受信するステップと、
選択されたテレビ番組を受信して、該番組情報及び表示形式の選択に応答して、第一の表示形式、ハンドヘルド表示装置での表示のために適合される第二の表示形式、又は該記憶装置での第一及び第二の表示形式で記憶するステップと、
ハンドヘルド表示装置に転送される記憶されているテレビ番組をユーザが選択することを可能にするグラフィックユーザインタフェース（ＧＵＩ）を提供するステップと、
ユーザによる同期モードの選択に応答して、選択された記憶されているテレビ番組を該第二の表示形式で該ハンドヘルド表示装置に転送するステップと、
を備える方法。
【請求項８】
テレビスケージュール情報を有する電子番組ガイド（ＧＰＧ）情報を受信するステップと、
該ＥＰＧ情報を該ハンドヘルド表示装置に転送し、該ハンドヘルド表示装置から記憶のために選択されたテレビ番組を示す番組情報を受けるステップと、
該番組情報に応答して、該選択されたテレビ番組を受信して記憶するステップと、
をさらに備える請求項７記載の方法。
【請求項９】
該番組情報は、それぞれ選択されたテレビ番組に関連される指定された再生装置を示す装置再生情報を提供し、
前記受信して記憶するステップは、選択されたテレビ番組を第一の表示形式、第二の表示形式、又は第一及び第二の表示形式で記憶する、
請求項７記載の方法。
【請求項１０】
該記憶装置に記憶されている番組を該ハンドヘルド表示装置にユーザが選択的に転送することを可能とし、該ハンドヘルド表示装置から該記憶装置に番組を選択的に転送することを可能にする同期メニューを生成するステップをさらに含む、
請求項７記載の方法。
【請求項１１】
該同期メニューは、ハンドヘルド表示装置に転送された番組に関する視聴状態を提供し、該ハンドヘルド表示装置がテレビジョン記録及び再生システムに接続されたとき、又は該ハンドヘルド装置が該テレビジョン記録及び再生システムに次に接続されたとき、該記憶装置から視聴された番組を削除するためにユーザが選択することを可能にする、
請求項７記載の方法。
【請求項１２】
該同期メニューは、該記憶装置に記憶されている番組に関する視聴状態を提供し、該ハンドヘルド表示装置が該システムに接続されたとき、該ハンドヘルド表示装置から視聴された番組を削除するためにユーザが選択することを可能にする、
請求項７記載の方法。
【請求項１３】
記憶装置と、
リモートコンとローラと、
ブロードキャストソースからテレビ番組を受信するための手段と、
該リモートコントローラを使用して、受信されて該記憶装置に記憶される第一のテレビ番組をユーザが選択することを可能にする手段と、
該第一のテレビ番組を受信して、該記憶装置に第一の表示形式で記憶する手段と、
該第一のテレビ番組を該記憶装置にハンドヘルド表示装置での表示のために適合される第二の表示形式で記憶する手段と、
所望の表示形式に関するユーザ選択に応答して、該第二の表示形式で該第一のテレビ番組を該ハンドヘルド表示装置に転送する手段と、
を備えるテレビジョン記録及び再生システム。
【請求項１４】
該第二の表示形式は、ハンドヘルド装置での表示のために適合され、前記転送する手段は、ユーザ選択に応答して該第一のテレビ番組を該ハンドヘルド装置に転送するため、該システムを該ハンドヘルド装置に接続する手段を含む、
請求項１３記載のシステム。
【請求項１５】
該第一の表示形式で記憶する手段、及び第二の表示形式で記憶する手段は、該テレビ番組を受信する手段に独立に接続され、互いに独立に受信されたテレビ番組をエンコードして記憶する、
請求項１３記載のシステム。
【請求項１６】
該第二の表示形式で記憶する手段は、該第一の表示形式で記憶する手段に接続され、該第一の表示形式で記憶する手段から受信された動きベクトルに応答して、ある表現の第一のテレビ番組を該第二の表示形式で生成して記憶する、
請求項１３記載のシステム。
【請求項１７】
該テレビ番組を受信するための手段は、デジタル表現の該テレビ番組を受信し、該第二の表示形式で記憶する手段は、デジタル表現の該デジタル番組をデコードするデコーダ、及び該第二の表示形式で該テレビ番組を再符号化する手段を含む、
請求項１３記載のシステム。
【請求項１８】
記憶装置と、
リモートコントローラと、
ブロードキャストソースからテレビ番組を受信する手段と、
リモートコントローラを使用して、受信されて該記憶装置に記憶されている第一のテレビ番組をユーザが選択することを可能にするグラフィックユーザインタフェース（ＧＵＩ）を生成する手段と、
該第一のテレビ番組を受信して、所定の表示形式で該記憶装置に記憶する手段と、
ユーザ選択に応答して、該所定の表示形式で該第一のテレビ番組を該ハンドヘルド表示装置に転送する手段と、
を備えるテレビジョン記録及び再生システム。
【請求項１９】
該ハンドヘルド表示装置への転送のためにテレビジョン記録及び再生システムに記憶されているテレビ番組をユーザが選択することを可能とし、該ユーザ選択に応答して同期命令を生成するグラフィックユーザインタフェース（ＧＵＩ）を提供するステップと、
該ハンドヘルド表示装置が該テレビジョン記録及び再生システムに接続されたとき、該同期命令を該テレビジョン記録及び再生システムに転送するステップと、
該同期命令に応答して送信された該選択されたテレビ番組を受信するステップと、
ユーザの再生命令に応答して、該選択されたテレビ番組を表示するステップと、
を備えるハンドヘルド表示装置を制御するための方法。
【請求項２０】
テレビ番組のスケージュール情報を有する電子番組ガイド（ＥＰＧ）情報を受信するステップと、
テレビジョン記録及び再生システムでの記録のためにテレビ番組をユーザが選択することを可能とするＥＰＧ情報に応答して、グラフィックユーザインタフェース（ＧＵＩ）を提供するステップとをさらに備え、
該同期命令は、ユーザ選択に応答して記憶のために選択されたテレビ番組を示す番組情報を含む、
請求項１９記載の方法。
【発明の詳細な説明】
【技術分野】
【０００１】
本発明は、ビデオ番組を記録する装置及び方法に関し、より詳細には、ハンドヘルドモバイル装置と組み合わせて再生するビデオ番組を記録する装置及び方法に関する。
【背景技術】
【０００２】
バーソナルビデオレコーダは、関連されるテレビジョンセット、モニタ又は他のディスプレイに表示されるグラフィカルユーザインタフェース（ＧＵＩ）により、将来の時間でブロードキャストされるテレビ番組、又は現在ブロードキャストされているテレビ番組をユーザが選択することを可能にし、該選択された番組をハードディスクのような記憶モジュールにデジタル形式で「記録」し、ユーザからの命令に応答して、該記憶されている番組を該記憶モジュールから検索し、該番組を伸張又はデコードして、関連されるテレビジョンセット又は他の表示装置にビデオ信号を出力することで、該記憶されている番組を「再生」する。かかる機能を有する装置は、“ＴｉＶｏ”、“ＲｅＰｌａｙ  ＴＶ”、“Ｓｋｙ＋”及び“Ｓｈｏｗｓｔｏｐｐｅｒ”といった登録商標の下で現在販売されている。
【０００３】
ビデオプログラム信号は、一般に、ＭＰＥＧ−２のような記憶モジュールに圧縮された形式で記憶され、該記憶モジュールで利用可能なストレージの効率的な使用を可能にする。一般に、番組は、単一の圧縮された形式で記憶モジュールに記憶される。この圧縮形式は、本明細書では「大型表示形式（ｌａｒｇｅ  ｄｉｓｐｌａｙ  ｆｏｒｍａｔ）」と呼ばれる。これは、標準型テレビジョン受信機又はモニタ、或いは高精細テレビジョン受信機又はモニタでの表示に最も適している現在利用可能なフォーマットであることによる。再生の間、圧縮されたオーディオ及びビデオデータは、記憶モジュールから検索され、伸長され、さらには表示装置での表示のために処理される。
【０００４】
ＰＶＲ装置は、先に説明された機能を実行する装置であり、ＴＶにインタフェースするセットトップボックス、又は内部ＰＣカード、或いは記憶のためにＰＣのハードディスクドライブ（ＨＤＤ）を使用するＰＣ用の外部インタフェースカードとして今日存在する場合がある。いずれの場合であっても、現在のＰＶＲ装置は、一般に、従来の大型ディスプレイスクリーンでの表示のために適したビデオ信号を供給するために適合される。本明細書で使用される用語「従来の大型ディスプレイスクリーン」は、テレビジョンセット、又はデスクトップ又はラップトップシステムを含めたコンピュータシステムと関連される公知のディスプレイを示している。
【０００５】
モバイル表示装置（ＭＤＤ）又はパーソナルデータアシスタント（ＰＤＡ）としても知られており、Ｐａｌｍ社“Ｐｉｌｏｔ”、“Ｃｏｍｐａｑ  ｉＰＡＱ  Ｐｏｃｋｅｔ  ＰＣ”ＨＰ社の“Ｊｏｒｎａｄａ”といった登録商標の下で現在利用可能であるハンドヘルド装置が一般に使用されている。小型の汎用コンピュータは、ローカルメモリに様々なアプリケーションを記憶し、ｄｏ  ｌｉｓｔ、住所及び電話番号表、ゲーム等を含んでいる。現在のところ利用可能なモバイルハンドヘルド装置は、現在入手可能なデスクトップ又はラップトップコンピュータよりもずっと少ないメモリ容量及び低い処理能力を有しており、結果として、デスクトップ又はラップトップコンピュータに比較してビデオ情報を処理及び表示するための能力において制限されている場合がある。
【０００６】
また、かかるモバイルハンドヘルド装置は、一般に、現在入手可能なＰＶＲ装置よりも少ないメモリ容量及び低い処理能力を含んでいる。大型のコンピュータシステムと比較した場合、制限されてはいるものの、ハンドヘルド装置分野における最近の発達は、十分なグラフィックインタフェース、処理能力及びメモリを提供しており、モバイル装置で視聴される特定のハンドヘルド装置の形式における動画像及びテレビ番組のような、オーディオビジュアル作業に関する幾つかの表示を可能にする。
【０００７】
かかる表示は、一般に、従来のテレビジョンセット、デスクトップコンピュータ又はラップトップコンピュータで得られる解像度及び品質よりも低い解像度及び低い品質からなる。しかし、ＰＶＲの効果は、多くの理由のため、モバイル装置で十分に利用可能とされていない。モバイル装置は、ケーブル、アンテナ又は衛星から直接ブロードキャストされるテレビジョンを受信するために未だ適合されていない。また、現在のＰＶＲに記憶されているような圧縮されたビデオファイルは、現在のハンドヘルドでの記憶及び再生のために未だ大き過ぎる場合がある。
【発明の開示】
【発明が解決しようとする課題】
【０００８】
したがって、モバイルハンドヘルド装置のユーザが、ＰＶＲ装置と共にモバイル装置を容易にかつ便利に使用することを可能にするやり方について、必要性が認識されている。特に、記録のためにテレビ番組を選択すること、モバイル装置に転送されるテレビ番組及びモバイル装置から転送されるテレビ番組を選択すること、並びにモバイル装置及び／又はＰＶＲから削除されるテレビ番組を選択することのような、ＰＶＲの様々な機能を制御するため、モバイル装置をユーザが容易に動作することを可能とする装置及び方法を提供することが必要とされている。
【０００９】
また、モバイル装置での転送及び再生を容易にするやり方で、ＰＶＲで番組を記録する装置及び方法を提供することが必要とされている。
【課題を解決するための手段】
【００１０】
本発明の装置及び方法は、説明から明らかとなる他の内容と同様に、先に説明された問題に対処するものであって以下に説明される。１つの態様において、本発明は、改善されたＰＶＲを備えている。このＰＶＲは、選択された１つ又は複数の符号化形式で選択された番組を記録するため、１以上の符号化形式をユーザが選択することを可能とする。特に、本発明は、従来の表示形式、モバイル装置形式、又は従来形式とモバイル装置形式の両者での記録のためにテレビ番組をユーザが選択することを可能とする。
【００１１】
本発明によるＰＶＲは、ユーザ選択に応答して、１以上の符号化形式で該選択されたテレビ番組を記憶装置に記憶する。リモートコントローラ又はモバイル表示装置は、グラフィカルユーザインタフェース（ＧＵＩ）及び電子番組ガイド（ＥＰＧ）を使用して、ＰＶＲを制御し、ＥＰＧが示す番組がブロードキャストされるようにスケジューリングされることを記録し、該番組が記録される形式、すなわち大型ディスプレイ、モバイル装置又はその両者を選択するために使用することができる。１つの実施の形態では、番組が進行している間に選択が行われる。本発明のＰＶＲは、大型ディスプレイ形式及びモバイル装置形式のそれぞれをエンコードする２つの個別のエンコーダを使用して、複数の形式での記録を提供する。
【００１２】
選択された番組が、通常ハードディスクであるＰＶＲ記憶装置に保存された後、番組が検索され、多くのやり方で「再生」される。ユーザは、大型ディスプレイ形式でのテレビ番組を実行可能なテレビジョンセット又はコンピュータモニタのような関連される表示装置での視聴のため、記憶されている番組を選択することができる。そのケースでは、本発明のＰＶＲは、検索及び処理のために大型ディスプレイの符号化フォーマットを自動的に選択する。
【００１３】
代替的に、ユーザは、モバイルハンドヘルド表示装置への送出又は送信のため、記憶されている番組を選択することができる。そのケースでは、本発明のＰＶＲは、モバイル装置への送出のため、モバイル装置のフォーマットを自動的に選択する。ビデオプログラムを送出するため、ＰＶＲは、無線伝送を介して、又は有線伝送を介してモバイル装置に送信する場合がある。使用することができる幾つかの可能な無線プロトコルが存在し、このプロトコルは、デフォルトプロトコル、又はＰＶＲ及びモバイル装置がハンドシェイクプロセスを遂行するときに自動的に確立されるプロトコルである。有線プロトコルについて、通常、ＰＶＲ及びモバイル装置上のＵＳＢポートを接続することができる。
【００１４】
モバイル装置は、モバイル装置の形式で番組を記憶することができる。この場合、ＰＶＲから番組が送信されるか、又は、従来のスプーリングプロセスを使用して、番組がブロードキャストされている間にテレビ番組を再生することができる。番組がモバイル装置のストレージに記憶された後、モバイル装置のユーザの都合のよいときに再生することができる。モバイル装置は、無線又は有線のいずれかで、第二のモバイル装置、又はモバイル装置の形式プログラムを使用することができる別の装置に接続することができ、記憶されたＴＶ番組は、それらの間で送信することができる。
【００１５】
大型ディスプレイ又はモバイル表示装置のいずれかでの選択された番組の視聴に続いて、本発明による装置は、従来のディスプレイで、モバイル装置で、又はその両者で番組が視聴されたかを考慮して、ユーザにより選択された削除の基準に基づいて記憶モジュールから番組を削除する場合がある。たとえば、本発明のＰＶＲは、選択された番組がモバイル装置で完全に視聴されたことが示された場合、又はＰＶＲの記憶モジュールから番組を削除するため、コマンドがモバイル装置に入力された場合に、モバイル装置のＰＶＲへの接続に応答して、記憶モジュールから選択された番組を自動的に削除するように構成される場合がある。
【発明を実施するための最良の形態】
【００１６】
本発明は、以下の添付図面を参照して記載される。図１を参照して、本発明の好適な実施の形態に係るパーソナルビデオレコーダ（ＰＶＲ）２６が例示されている。このＰＶＲ２６は、中央処理装置２１を備えており、この中央処理装置は、一般に、ＰＶＲ２６内の各種構成要素の動作を調整及び制御する。ＰＶＲ２６は、ブロードキャストソース１１からのビデオ信号を受信する。このブロードキャストソースは、従来の公知の方法を介してＰＶＲ２６に接続されている。このブロードキャストソース１１は、地上波ＴＶ、デジタル地上波ＴＶ、アナログケーブルＴＶ、デジタル衛星、デジタルケーブル、ＤＳＬ、ケーブルモデム、ＭＭＤＳ等である。
【００１７】
受信されたビデオ信号は、チューナコントロール１７を介して同調され、及び受信機１５を介して処理される。受信機及びビデオ信号処理関連の構成要素の構成、並びにかかる構成要素を制御するための方法の動作は、よく知られており、詳細には説明されない。また、本発明は、記憶媒体としてハードディスクドライブを利用しているが、限定されるものではないが光媒体及び固体メモリを含めて、任意の適切な記憶媒体が使用される場合もあることを理解されたい。
【００１８】
ＰＶＲ２６は、グラフィックユーザインタフェース（ＧＵＩ）ジェネレータモジュール１３により、従来の表示装置又はモバイル装置での表示のために適したＧＵＩを生成する。ＧＵＩジェネレータモジュール１３は、ＰＶＲ２６の様々な動作モードを表示するため、オンスクリーン・ディスプレイを生成するために使用される場合があり、ユーザが各種制御コマンドをＰＶＲ２６に入力することを可能にするために使用される場合がある。また、ＧＵＩジェネレータモジュール１３は、当該技術分野で公知のやり方で、電子番組ガイド（ＥＰＧ）を生成するために使用される場合もある。
【００１９】
ユーザは、好適には、リモートコントロール装置１２を使用して、ＴＶモニタ１４での表示のためにＥＰＧを選択し、次いで、「記録」すべき将来のテレビ番組を選択する。ユーザ選択に応答して、ＰＶＲ２６は、選択されたテレビ番組を自動的に記録するため、特定の時限で特定のチャネルを同調させる。モバイル装置２５は、本明細書ではハンドヘルドＰＤＡとも呼ばれ、携帯式の汎用コンピュータである。この携帯式汎用コンピュータは、以下に説明される処理を実行するためにプログラムされているか、又はその内部にソフトウェアをロードしている。モバイル装置２５には、当該技術分野で公知の方法を使用して、プログラムされているか、又は適切なソフトウェアがロードされている場合がある。
【００２０】
従来のＰＶＲでは、ユーザは、グリッドの周りのハイライト表示を移動し、該ハイライトが所望のテレビ番組の周りに位置されたとき、ＥＮＴＥＲ又は類似のコマンドを押下することで、記録すべき番組を選択する。従来のＰＶＲは、また、所定の品質レベルについて十分な記憶領域が存在しない場合に、ユーザがある記録品質を選択することを可能にするか、また、記録スケジュールにおける可能性のあるコンフリクトをユーザに通知すること可能にするか、また、このコンフリクトをユーザが解決することを可能にする。しかし、従来のＰＶＲは、意図された視聴装置に基づいてユーザが記録フォーマットを指定することを可能にするものではなく、さらに、それぞれの記録が指定されたフォーマットである複数の記録をユーザが指定することを可能にするものではない。
【００２１】
本発明によるＰＶＲ２６は、記憶装置で記録すべきフォーマットをユーザが指定すること、さらに、該記憶装置で記録すべき複数のフォーマットをユーザが選択することを可能にする。これにより、ユーザは、記録された番組のためのビューイング・プラットフォームを後になって容易に選択することができる。図３には、本発明に係る、番組及びフォーマットを選択するためのＧＵＩスクリーン３０が例示されており、この図では、スクリーン３０は、番組に関連する情報を表示しており、望まれる記録フォーマットのタイプをユーザが選択するための一組のオプションを提供している。特に、ユーザは、従来のディスプレイでの表示に適した通常のフォーマット、モバイル装置での表示に適したモバイル装置のフォーマット、及び通常のフォーマットとモバイル装置のフォーマットの両者のうちの１つを選択する。この選択は、ハイライト表示、セレクタアイコン、又は他の適切な方法を使用して行われる場合がある。
【００２２】
選択された番組データが受信されているとき、この番組データは、フレームバッファ１６に送出され、その後、ユーザにより選択されたフォーマットに依存して、ハンドヘルドフォーマットエンコーダ１８及び大型ディスプレイエンコーダ１９である２つのエンコーダの一方又は両方に送出される。ユーザが通常フォーマットのみを選択した場合、番組データは、大型ディスプレイエンコーダ１９により圧縮され、従来のディスプレイに関連するエンコードされたデータが生成される。ユーザがモバイル装置のフォーマットのみを選択した場合、番組データはハンドヘルドフォーマットのエンコーダ１８により圧縮され、モバイル装置に関連するエンコードされたデータが生成される。
【００２３】
ユーザが通常フォーマット及びハンドヘルドフォーマットの両者を選択した場合、番組データは大型ディスプレイのエンコーダ１９及びハンドヘルドフォーマットのエンコーダ１８の両者により処理され、２つの圧縮されたファイルが同時に生成される。この２つのファイルは、ＨＤＤ２０に記憶される。ＨＤＤ２０に記憶された２つのフォーマットを有することで、所望のフォーマットを表示のために容易に検索することができ、及び／又は検索してモバイル装置に送出することができる。ユーザが、ＨＤＤ２０に記録された番組を一覧表示するディスプレイ（図示せず）を選択したとき、この一覧表示は、どの記録フォーマットがＨＤＤ２０で利用可能であるかを示している。
【００２４】
本実施の形態では、大型ディスプレイのエンコーダは、ＭＰＥＧ−２規格に従って番組データをエンコードし、ハンドヘルドフォーマットのエンコーダ１８は、ＪＶＴ規格に従って番組データをエンコードする。しかし、所望の表示形式を提供するために記憶及び処理に適した他の符号化形式が利用される場合があることを理解されたい。モバイル装置のフォーマット用に使用される圧縮タイプは、任意の適切なフォーマットであるが、大型ディスプレイのフォーマットとは異なる。これは、モバイル装置は、一般に、ＰＶＲ装置に比べてずっと少ないメモリ容量を有しているためであり、したがって、より低いビットレート及びより低い解像度が必要とされる場合がある。モバイル装置のフォーマットは、一般に、より低いビットレート及びより低い解像度のディスプレイ向けに最適化されるフォーマットである。適切なフォーマットは、ＭＰＥＧ４，Ｈ．２６Ｌ，ＪＶＴ，Ｈ．２６３Ａ及びＨ．２６Ｌアルゴリズムを含んでおり、ＪＶＴが最も好ましい。
【００２５】
代替となる実施の形態では、大型ディスプレイのエンコーダ１９から生成された動きベクトルは、小型ディスプレイのエンコーダ１８に入力される。始めに生成された動きベクトルは、動きサーチ（ｍｏｔｉｏｎ  ｓｅａｒｃｈ）をエンコードするモバイル装置のフォーマットのための開始ポイントを形成する助けとなる。通常、これは、圧縮効率又は品質における妥協点であるが、より少ない複雑さでの実現という効果を有する。
【００２６】
ブロードキャストソース１１からの番組信号がデジタルである別の実施の形態では、到来するデジタルストリームは、始めにデコードされ、次いで、モバイル表示形式で再符号化される必要がある。あるケースでは、部分的なデコードのみが実行されて、システムの複雑さが低減される。しかし、これは、到来するビットストリームからのエレメントを再使用するため、より低品質のモバイルディスプレイの圧縮となる。
【００２７】
本発明の実施の形態では、ＰＶＲ２６は、トランスコーダを含んでおり、このトランスコーダは、ＰＶＲ再生バージョンの番組から、モバイル装置の再生バージョンの番組にコード変換する。このコード変換は、ユーザ要求からオンデマンドで行われるか、モバイル装置の再生のためにＰＶＲ２６に予め記録されていない番組をモバイル装置２５に転送するための要求に応じて自動的に開始される。
【００２８】
リモートコントロール装置１２又はモバイル装置（パーソナルデジタルアシスタント）２５のいずれかからのコマンドの受信、及びモバイル装置のＰＶＲ２６への接続に応じて、ＰＶＲ２６は、ＵＳＢポート２３のような有線接続を介して、或いは、Ｂｌｕｅｔｏｏｔｈ（登録商標）又は８０２．１１ｂのような無線プロトコルを使用した無線送信機２４を介して、モバイル装置用にフォーマットされたエンコードされたファイルをモバイル装置に送出する。いずれのケースであっても、ＰＶＲ２６とＰＤＡ２５の間にハンドシェイク・プロトコルが生じる。ＰＶＲ２６は、後の時間での視聴のため、ライブストリーミングビデオをモバイル装置に送出するか、又はＰＤＡ２５のメモリへの記憶のために完全なプログラムを送出する場合がある。図４には、ファイル・エクスポート・オプションについて典型的なＧＵＩが例示されている。利用可能な番組のリストからの番組の選択に応じて、スクリーン４０がユーザに提供される場合がある。
【００２９】
全てのＰＶＲについて慣用であるように、ＰＶＲ２６は、大型ディスプレイのファイル（この実施の形態ではＭＰＥＧ）をデコードし、ＰＬＡＹオプションのユーザ選択に応答して、ＴＶモニタ１４での表示のためにデコードされたファイルをフォーマットする。
【００３０】
ＰＶＲ２６とモバイル装置２５の間の情報を容易かつ便利に同期させるための方法が提供されることが望まれる。モバイル装置２５は、ＰＶＲ２６による動作を制御することができる。これには、どの番組を記録すべきかを選択すること、及び、ＰＶＲ２６のリモート制御装置１２の代理として、ＰＶＲに記憶されているテレビ番組をモバイル装置に転送することを要求すること等が含まれる。
【００３１】
たとえば、Ｍｉｃｒｏｓｏｆｔ  ＡｃｔｉｖｅＳｙｎｃといった同期ソフトウェアは、Ｗｉｎｄｏｗｓ（登録商標）オペレーティングシステムを使用して、ＷｉｎＣＥ又はＰｏｃｋｅｔＰＣ  ＰＤＡをＰＤＲ用のＷｉｎｄｏｗｓ  ＰＣと同期させるために使用される。ＰＶＲ２６は、好ましくは、会員ソースから電子番組ガイド（ＥＰＧ）情報を周期的にダウンロードし、どの番組を記録するかを選択するため、ＧＵＩアプリケーション１３をユーザに提供する。記録のために番組が選択されたとき、番組の品質は、４つの異なる値から選択される。より高い品質は、記憶容量の増加につながる。
【００３２】
モバイル装置２５は、電力使用を最小にして、バッテリ寿命を長くするため、様々な異なるモードで動作することができる。この動作モードは、ＯＦＦ，ＳＴＡＮＤＢＹ，ＴＲＡＮＳＦＥＲ及びＯＮである。ＯＦＦの間、モバイル装置２５は、ＰＶＲ２６と通信せず、電力を使用しない。ＳＴＡＮＤＢＹモードでは、モバイル装置２５は、少量の電力を使用し、ＰＶＲ２６からの通信要求に単に傾聴する。ＳＴＡＮＤＢＹモードでは、モバイル装置２５がＰＶＲ２６からの通信要求を受信したとき、又はモバイル装置２５が無線ＬＡＮ接続の範囲に入ったことを検出したとき、モバイル装置２５は、ＴＲＡＮＳＦＥＲモードに切り替える。
【００３３】
このＴＲＡＮＳＦＥＲモードは、ＳＴＡＮＤＢＹモードよりも多くの電力を消費する。ＴＲＡＮＳＦＥＲモードでは、ＰＶＲ２６とモバイル装置２５の間でデータが転送される。インジケータライトは、ＴＲＡＮＳＦＥＲモードで点灯され、データ転送が行われているが、ビデオディスプレイがＯＮにされていないことをユーザに示す。ユーザがモバイル装置２５と対話しているとき、モバイル装置は、ＯＮモードに切り替えられ、このＯＮモードでは、ディスプレイがＯＮにされる。また、モバイル装置２５がＯＮにされている間、データ転送が行われる。ハンドヘルド装置２５とＰＶＲ２６の間で転送されるデータタイプは、ＰＶＲ２６の動作と同様に、モバイル装置２５及びＰＶＲ２６に関連される同期情報により制御される場合がある。
【００３４】
どのテレビ番組を記録するかを選択するため、ユーザがＰＶＲ２６を使用しているとき、ＥＰＧ情報を与えるＧＵＩアプリケーションを使用して、ＰＶＲ２６を使用する再生のため、及び／又はモバイル装置２５での再生のための番組の記録の間でユーザが選択する能力をＰＶＲ２６は提供する。ＰＶＲ２６は、どの番組が記録のためにスケジュールされているかに関するリストだけでなく、どの番組が記録されたか、及びどのプラットフォームについてであるかに関するリストを記憶する。このリストと、それぞれの番組のためのメタデータが記憶される場合がある。このリストは、エピソード記述、俳優及びディレクタ名等のような、ＥＰＧからの番組に関する情報を含んでいる。
【００３５】
ＰＶＲ２６のＧＵＩアプリケーションは、ＰＶＲ２６での再生のためにどの番組を記録すべきかをユーザが選択することを可能にし、また、できるだけ早く、すなわちモバイル装置２５がＰＶＲ２６に接続され、番組が記録された直後に、番組をモバイル装置２５に自動的に転送することをユーザに任意に選択させる。さもなければ、ユーザは、ＰＶＲ２６からモバイル装置２５へのファイルの転送を手動で要求する。この要求は、ＰＶＲ２６又はモバイル装置２５のいずれかから始動される。
【００３６】
また、ＰＶＲ２６のＧＵＩアプリケーションは、モバイル装置のバージョンの番組がモバイル装置２５に転送されたときに、該番組をＰＶＲのストレージから削除するかに関する選択をユーザに与える。ＰＶＲ２６は、どの番組がモバイル装置２５に現在記憶されているかに関する情報を保持しており、その情報は、ＰＶＲ２６を使用してどの番組を視聴すべきかを選択しているユーザに与えることができる。ＰＶＲに記憶されたバージョンの番組がモバイル装置２６に転送されたときに、ＰＶＲ２６がモバイル装置で再生するＰＶＲに記憶されたバージョンの番組を削除した場合、ＰＶＲ２６又はモバイル装置のいずれかは、それらが次に接続されたとき、該番組を複製することを選択してモバイル装置２５からＰＶＲ２６に送ることができる。同時に、モバイル装置のストレージから該番組を削除して、より多くの番組のための負担を軽くする。
【００３７】
モバイル装置２５は、ＧＵＩアプリケーションを含んでおり、このアプリケーションは、モバイル装置２５に記憶されているオーディオ／ビデオのなかから、オーディオ／ビデオをデコードして表示することを含めて、どの番組を再生するかをユーザが選択することを可能にする。ＰＶＲ２６とモバイル装置２５が接続されたとき、どの番組をＰＶＲ２６が記憶しているかに関するＰＶＲ２６のリスト、及びどの番組が記録のためにスケジュールされているかに関するＰＶＲ２６のリストがモバイル装置２５に転送される。モバイル装置２５のＧＵＩアプリケーションは、このリストをユーザが見ることを可能にし、モバイル装置２５とＰＶＲ２６が現在接続されているか否かを知ることを可能にする。
【００３８】
モバイル装置２５とＰＶＲ２６が接続されている間、モバイル装置２５のアプリケーションは、ＰＶＲ２６からモバイル装置２５にユーザが番組を即時に転送することを可能にする。モバイル装置２５とＰＶＲ２６が接続されていない場合、アプリケーションは、次に両者が接続されたとき、モバイル装置２５に複製すべき所望の番組をユーザが選択することを可能にする。ＰＶＲ２６での記録のためにスケジュールされる番組であって、未だ記憶されていない番組は、モバイル装置２５への転送のために選択される。スケジュールされた記録が行われた後、次にＰＶＲ２６及びモバイル装置２５が接続されたときに転送が行われる。
【００３９】
ＰＶＲ２６又はモバイル装置２５のアプリケーションのいずれかから、モバイル装置への自動的な転送のために予め選択されていた番組が記録されている間、モバイル装置２５がＰＶＲ２６に接続された場合、モバイル装置の再生バージョンの番組の転送は、この番組の記録が完了する前に開始される。接続帯域幅が十分に広い場合、データの転送が一度に行われ、モバイル装置のバッテリ寿命を節約することができる。たとえば、５００ｋｂｐｓで圧縮されたビデオを２Ｍｂｐｓのリンクを通して転送することについて、４分毎にデータが１分間転送され、他の３分の間、モバイル装置２５はスタンバイモードに入る。
【００４０】
ある番組がモバイル装置２５で視聴された後、次にこれらの装置が接続されたとき、この番組をモバイル装置２５から削除すべきかに関する選択、及びモバイル装置のバージョンの番組及び／又はＰＶＲバージョンの番組をＰＶＲ２６から削除すべきかに関する選択がユーザに与えられる。ある番組がＰＶＲ２６で完全に視聴された後、以下の記憶されたバージョンの一部又は全部を削除すべきかに関する選択がユーザに与えられる。ＰＶＲ２６に記憶されたＰＶＲバージョン、ＰＶＲ２６に記憶されたモバイル装置のバージョン、及びモバイル装置２５に記憶されたモバイル装置のバージョン。最後のバージョンの削除は、次にＰＶＲ２６とモバイル装置２５が接続されたときに行われる。たとえば、ユーザは、ＰＶＲとモバイル装置の両者での再生のため、どのバージョンが視聴されるかを前もって知ることなしに、ある番組を記録することを決定する場合がある。ユーザがその番組を一旦視聴したとき、ＰＶＲ２６を使用しようと、又はモバイル装置２５を使用しようと、ユーザは、全てのバージョンの番組を削除することを望む場合がある。
【００４１】
本発明の別の実施の形態では、モバイル装置２５がＰＶＲ２６に接続されたときに、ＥＰＧデータがモバイル装置２５にダウンロードされる。ＥＰＧデータは、テレビ番組名、開始及び停止時間、チャネル、番組記述、俳優及びディレクタ名等を含んでいる場合がある。モバイル装置２５は、ユーザがどの番組をＰＶＲ２６に記録すべきかを選択するためのＧＵＩアプリケーションを提供する。モバイル装置２５及びＰＶＲ２６が次に接続されたとき、選択された番組に関する情報がＰＶＲ２６に転送される。ＰＶＲ２６は、選択された番組のリストを受信し、該リストを記録すべき番組に関する既存のスケジュールとマージする。
【００４２】
ＰＶＲ２６は、１を超えるモバイル装置に番組を転送し、該１を超えるモバイル装置から番組を転送する。また、モバイル装置は、任意のタイプの有線又は無線接続を使用して、別の複数の装置に番組を転送し、該別の複数の装置から番組を転送する。
【００４３】
同期の間、ＰＶＲ２６に記憶されている番組のリストを含み、意図されたプラットフォームでの、ＰＶＲ２６に記録すべきスケジュールされた番組のリストを含み、意図されたプラットフォームでの、圧縮されたオーディオ／ビデオテレビ番組、バッチ処理される圧縮された番組及びＥＰＧを含んだデータがＰＶＲ２６からモバイル装置２５に転送される。また、どの番組をモバイル装置２５に転送すべきか、利用可能なときにモバイル装置２５に転送するために番組を記録するためにどの番組がスケジュールされているか、どの番組がモバイル装置２５で視聴されたか、どの番組をＰＶＲ２６で削除するか、ＰＶＲ２６のストレージに返すために圧縮されたオーディオ／ビデオテレビ番組、及びどの番組をＰＶＲ２６に記録するかを含んだデータがモバイル装置２５からＰＶＲ２６に転送される。
【００４４】
ＰＶＲ機能は、ＥＰＧ情報を検索すること、ＧＵＩアプリケーションにおいてＥＰＧを提供すること、意図されたＰＶＲ再生及び／又はモバイル装置の再生（ｈｉ  ｒｅｓ及びｌｏｗ  ｒｅｓ）の選択により、記録すべき番組を選択するためのＧＵＩアプリケーションを生成すること、スケジュールに基づいて記録を開始すること、（モバイル装置への転送の前又は間に）ｈｉ  ｒｅｓからｌｏｗ  ｒｅｓへのオンデマンドのコード変換を可能にすること、モバイル装置に転送するために番組を選択するＧＵＩアプリケーションを生成すること、転送されたときに番組を記録すること、又は転送されたときにＰＶＲ２６から削除するためのデフォルトを記録すること、モバイル装置２５がそこで視聴されたことを示すとき、解像度ファイルのいずれか一方又は両方を削除すること、転送をスケジューリングすることを含んでいる。
【００４５】
モバイル装置の機能は、ＰＶＲ２６から番組及びＥＰＧデータを受信すること、視聴する番組を選択するＧＵＩを生成すること、ビデオデコーダ／再生、視聴されるときに番組を記録し、視聴されないが何か他にコピーすることを望む場合に選択的にコピーしてＰＶＲ２６に送り、ＰＶＲ２６から削除すること、接続されたときにＰＶＲ２６と同期される記録する番組のＥＰＧ表示及び選択、ＰＶＲ２６で実際に行われる記録、番組がＰＶＲ２６であるとしても（又は、ＰＶＲであるとスケジュールされたとしても）どの番組を次に視聴したいかに関する選択、ＰＶＲ２６になお記憶されているかに部分的に基づくモバイル装置のための特別の削除ルールを含んでいる。
【００４６】
図２を参照して、処理は、ステップ２７で開始されるように例示されている。ここでは、ＰＶＲ２６は、ステップ２８で、大型ディスプレイＴＶでＥＰＧを生成し、ステップ２９で、特定の又はデフォルトのブロードキャストソース１１から選択された番組を記録するため、リモートコントロール装置１２又はモバイル装置２５からコマンドを受信し、ステップ３０で、ＧＵＩ３０に記録フォーマットのオプションリストを生成し（すなわち、「ＴＶ」フォーマット、ＰＤＡフォーマット又は両者）、ステップ３１で、大型ディスプレイおフォーマット又はモバイル装置のフォーマットで選択された番組を記録するため、リモートコントロール装置１２（又はＰＤＡ）からのコマンドを受信し、ステップ３２で、ブロードキャストソースからの番組を受信するため、スケジュールされた時間でＴＶチャネルを同調させ、ステップ３３で、該番組を両方のフォーマットでＨＤＤに記憶する。
【００４７】
モバイル装置２５に番組を送出することをユーザが選択したとき、ステップ３４で、ＰＶＲ２６の無線送信機を通した無線プロトコルを介して、又は有線プロトコル送信機におけるＵＳＢポートを通して、モバイル装置のフォーマットでエンコードされたファイルを送出するため、モバイル装置２５又はリモートコントロール装置１２のいずれかからコマンドが受信される。ステップ３５で、このファイルが転送された後、ステップ３６で、処理が終了される。次いで、ユーザにより選択されたとき、モバイル装置２５又はディスプレイ１４のいずれかで、この番組データが処理されて表示され、その後、先に説明されたようにユーザにより行われる選択に基づいて所望とされるように削除される。
【００４８】
先に説明された処理は、当業者に公知のソフトウェア及びプログラミング技術を使用して実現される場合がある。
【００４９】
本発明に対する様々な変更、及び本発明の実施の形態に対する代替となる実施の形態は、上述の説明の観点で当業者にとって明らかであろう。たとえば、本実施の形態は、従来のディスプレイ及びモバイル装置のディスプレイのためのフォーマットでの記録を説明しているが、かかるフォーマット及びプラットフォームが利用可能となるときに、他のプラットフォームのための他のフォーマットを含む場合があることを理解されたい。したがって、この説明は、例示するものとして解釈されるべきであり、本発明を実行する最良の形態を当業者に教示することを目的としている。構成の詳細は、本発明の精神から逸脱することなしに、実質的に変更される場合があり、特許請求の範囲に含まれる全ての変更の排他的な使用が保有される。
【図面の簡単な説明】
【００５０】
【図１】本発明によるＰＶＲの実施の形態に関するブロック図である。
【図２】本発明による実施の形態の方法に関するフローチャートである。
【図３】記録される選択されたテレビ番組のフォーマットのオプションを示すグラフィカルユーザインタフェースのスクリーンである。
【図４】無線プロトコル又は有線接続を介して、モバイル装置への信号送出を示すグラフィカルユーザインタフェースのスクリーンである。
【図１】
2005510143.tif 000003
【図２】
2005510143.tif 000004
【図３】
2005510143.tif 000005
【図４】
2005510143.tif 000006
【手続補正書】
【提出日】平成16年5月14日(2004.5.14)
【手続補正１】
【補正対象書類名】特許請求の範囲
【補正対象項目名】全文
【補正方法】変更
【補正の内容】
【特許請求の範囲】
【請求項１】
記憶装置と、
リモートコントローラと、
信号源からテレビ番組を受信する手段と、
該リモートコントローラを使用して、受信されて該記憶装置に記憶されているテレビ番組をユーザが選択することを可能にするグラフィックユーザインタフェース（ＧＵＩ）を生成する手段と、
第一の選択されたテレビ番組を受信して、ユーザ選択に応答して、第一の表示形式、ハンドヘルド装置での表示のために適合される第二の表示形式、又は該記憶装置における第一及び第二の表示形式で該記憶装置に記憶する手段と、
ユーザ選択に応答して、該第二の表示形式で該第一のテレビ番組をハンドヘルド表示装置に転送する手段と、
を備えるテレビジョン記録及び再生システム。
【請求項２】
テレビスケージュール情報を有する電子番組ガイド（ＥＰＧ）情報を受信する手段と、
該ＥＰＧ情報を該ハンドヘルド表示装置に転送し、該ハンドヘルド表示装置から記憶のために選択されたテレビ番組を示す番組情報を受ける手段とをさらに備え、
前記受信して記憶する手段は、該番組情報に応答して該選択されたテレビ番組を受信して記憶する、
請求項１記載のシステム。
【請求項３】
該番組情報は、それぞれの選択されたテレビ番組に関連される指定された再生装置を示す装置再生情報を含み、前記受信して記憶する手段は、該装置再生情報に応答して、該第一の表示形式、該第二の表示形式又は第一及び第二の表示形式で該選択されたテレビ番組を記憶する、
請求項２記載のシステム。
【請求項４】
該生成手段は、該記憶装置に記憶されている番組を該ハンドヘルド表示装置にユーザが選択的に転送することを可能にし、該ハンドヘルド表示装置から該記憶装置に番組を選択的に転送することを可能にする同期メニューを生成する、
請求項１記載のシステム。
【請求項５】
該同期メニューは、ハンドヘルド表示装置に転送される番組に関する視聴状態を提供し、該ハンドヘルド表示装置が該システムに接続されたとき、該記憶装置から視聴された番組を削除するためにユーザが選択することを可能にする、
請求項４記載のシステム。
【請求項６】
該同期メニューは、該記憶装置に記憶されている番組の視聴状態を提供し、該ハンドヘルド表示装置が該システムに接続されたとき、該ハンドヘルド表示装置から視聴された番組を削除するためにユーザが選択することを可能にする、
請求項４記載のシステム。
【請求項７】
テレビジョン記録及び再生システムを制御する方法であって、
記憶装置に記録されるテレビ番組を示すユーザにより選択された番組情報を受信するステップと、
選択されたテレビ番組を受信して、該番組情報及び表示形式の選択に応答して、第一の表示形式、ハンドヘルド表示装置での表示のために適合される第二の表示形式、又は該記憶装置での第一及び第二の表示形式で記憶するステップと、
ハンドヘルド表示装置に転送される記憶されているテレビ番組をユーザが選択することを可能にするグラフィックユーザインタフェース（ＧＵＩ）を提供するステップと、
ユーザによる同期モードの選択に応答して、選択された記憶されているテレビ番組を該第二の表示形式で該ハンドヘルド表示装置に転送するステップと、
を備える方法。
【請求項８】
テレビスケージュール情報を有する電子番組ガイド（ＧＰＧ）情報を受信するステップと、
該ＥＰＧ情報を該ハンドヘルド表示装置に転送し、該ハンドヘルド表示装置から記憶のために選択されたテレビ番組を示す番組情報を受けるステップと、
該番組情報に応答して、該選択されたテレビ番組を受信して記憶するステップと、
をさらに備える請求項７記載の方法。
【請求項９】
該番組情報は、それぞれ選択されたテレビ番組に関連される指定された再生装置を示す装置再生情報を提供し、
前記受信して記憶するステップは、選択されたテレビ番組を第一の表示形式、第二の表示形式、又は第一及び第二の表示形式で記憶する、
請求項７記載の方法。
【請求項１０】
該記憶装置に記憶されている番組を該ハンドヘルド表示装置にユーザが選択的に転送することを可能とし、該ハンドヘルド表示装置から該記憶装置に番組を選択的に転送することを可能にする同期メニューを生成するステップをさらに含む、
請求項７記載の方法。
【請求項１１】
該同期メニューは、ハンドヘルド表示装置に転送された番組に関する視聴状態を提供し、該ハンドヘルド表示装置がテレビジョン記録及び再生システムに接続されたとき、又は該ハンドヘルド装置が該テレビジョン記録及び再生システムに次に接続されたとき、該記憶装置から視聴された番組を削除するためにユーザが選択することを可能にする、
請求項７記載の方法。
【請求項１２】
該同期メニューは、該記憶装置に記憶されている番組に関する視聴状態を提供し、該ハンドヘルド表示装置が該システムに接続されたとき、該ハンドヘルド表示装置から視聴された番組を削除するためにユーザが選択することを可能にする、
請求項７記載の方法。
【請求項１３】
記憶装置と、
リモートコンとローラと、
信号源からテレビ番組を受信するための手段と、
該リモートコントローラを使用して、受信されて該記憶装置に記憶される第一のテレビ番組をユーザが選択することを可能にする手段と、
該第一のテレビ番組を受信して、該記憶装置に第一の表示形式で記憶する手段と、
該第一のテレビ番組を該記憶装置にハンドヘルド表示装置での表示のために適合される第二の表示形式で記憶する手段と、
所望の表示形式に関するユーザ選択に応答して、該第二の表示形式で該第一のテレビ番組を該ハンドヘルド表示装置に転送する手段と、
を備えるテレビジョン記録及び再生システム。
【請求項１４】
該第二の表示形式は、ハンドヘルド装置での表示のために適合され、前記転送する手段は、ユーザ選択に応答して該第一のテレビ番組を該ハンドヘルド装置に転送するため、該システムを該ハンドヘルド装置に接続する手段を含む、
請求項１３記載のシステム。
【請求項１５】
該第一の表示形式で記憶する手段、及び第二の表示形式で記憶する手段は、該テレビ番組を受信する手段に独立に接続され、互いに独立に受信されたテレビ番組をエンコードして記憶する、
請求項１３記載のシステム。
【請求項１６】
該第二の表示形式で記憶する手段は、該第一の表示形式で記憶する手段に接続され、該第一の表示形式で記憶する手段から受信された動きベクトルに応答して、ある表現の第一のテレビ番組を該第二の表示形式で生成して記憶する、
請求項１３記載のシステム。
【請求項１７】
該テレビ番組を受信するための手段は、デジタル表現の該テレビ番組を受信し、該第二の表示形式で記憶する手段は、デジタル表現の該デジタル番組をデコードするデコーダ、及び該第二の表示形式で該テレビ番組を再符号化する手段を含む、
請求項１３記載のシステム。
【請求項１８】
記憶装置と、
リモートコントローラと、
信号源からテレビ番組を受信する手段と、
リモートコントローラを使用して、受信されて該記憶装置に記憶されている第一のテレビ番組をユーザが選択することを可能にするグラフィックユーザインタフェース（ＧＵＩ）を生成する手段と、
該第一のテレビ番組を受信して、所定の表示形式で該記憶装置に記憶する手段と、
ユーザ選択に応答して、該所定の表示形式で該第一のテレビ番組を該ハンドヘルド表示装置に転送する手段と、
を備えるテレビジョン記録及び再生システム。
【請求項１９】
該ハンドヘルド表示装置への転送のためにテレビジョン記録及び再生システムに記憶されているテレビ番組をユーザが選択することを可能とし、該ユーザ選択に応答して同期命令を生成するグラフィックユーザインタフェース（ＧＵＩ）を提供するステップと、
該ハンドヘルド表示装置が該テレビジョン記録及び再生システムに接続されたとき、該同期命令を該テレビジョン記録及び再生システムに転送するステップと、
該同期命令に応答して送信された該選択されたテレビ番組を受信するステップと、
ユーザの再生命令に応答して、該選択されたテレビ番組を表示するステップと、
を備えるハンドヘルド表示装置を制御するための方法。
【請求項２０】
テレビ番組のスケージュール情報を有する電子番組ガイド（ＥＰＧ）情報を受信するステップと、
テレビジョン記録及び再生システムでの記録のためにテレビ番組をユーザが選択することを可能とするＥＰＧ情報に応答して、グラフィックユーザインタフェース（ＧＵＩ）を提供するステップとをさらに備え、
該同期命令は、ユーザ選択に応答して記憶のために選択されたテレビ番組を示す番組情報を含む、
請求項１９記載の方法。
【国際調査報告】
2005510143.tif 000007
2005510143.tif 000008
2005510143.tif 000009